(57)【要約】  排水の受入れおよび廃棄のために、例えば非水洗便器および他の排水設備で使用可能なドライトラップ弁を使用して、尿または他の排水などの流体を下水管路へと輸送する。ドライトラップ弁は、排水を受けるための入口、排水を廃棄するための排水口、排水を入口から排水口へと運ぶための通路（例えば、窪み、陥凹またはバイパス）、および通路を封止的に覆うための要素（例えば、封止バンド）を有するホルダー（例えば、バンドホルダー）を含む。封止バンドは、窪みの下端に隣接し、窪みから排水が流れると関節動作し、排水を排水口へと流し、排水が流れていないときは閉じることができるように配設された蝶番部分を含む。下水管路からのガスも、排水の流れが存在しないとき、窪みをさらに封止するように、封止バンドを押圧する。したがって、弾性材料の形状記憶が不可欠ではなく、むしろ、重力および下水ガスの力によって、さもなければ弁を通って逆流する下水ガスに対する通路の閉鎖を維持することである。【選択図】図１
2013517403.tif 000002
【特許請求の範囲】
【請求項１】
流体の受入れおよび廃棄のために、前記流体を輸送するためのドライトラップ弁であって、
前記流体を受けるための入口、前記流体を廃棄するための排水口、前記流体を前記入口から前記排水口へと運ぶための通路、および前記通路を封止的に覆うための要素を有するホルダーを含むドライトラップ弁。
【請求項２】
前記ホルダーが、前側面および後側面を有する全体的に平坦な傾斜板を有するバンドホルダーを含み、
前記通路が、前記後側面から突出し、前記入口に隣接する上端および前記入口から離間した下端を有する窪みを含み、
前記封止要素が、前記前側面に置かれた封止バンドを含む、請求項１に記載のドライトラップ弁。
【請求項３】
前記封止バンドが、前記窪みの下端に隣接し、前記窪みから前記流体が流れると関節動作し、前記流体を前記排水口へと流し、前記流体が流れていないときは閉じることができるように配設された蝶番部分を含む、請求項２に記載のドライトラップ弁。
【請求項４】
前記バンドホルダーが前記窪みの下端を越えて延びる平坦部分を有し、
前記封止バンドが、全体的に前記窪みの上端の上に配置された上側部分および全体的に前記窪みの下端の下に配置された下側部分を含む、請求項２に記載のドライトラップ弁。
【請求項５】
前記封止バンドの下側部分が、基本的に（ａ）前記封止バンドの下側部分の下方、および（ｂ）前記窪みの下端の下にある線に沿って関節動作するように配設された構造を有し、前記窪みの大部分が、前記流体が流れている間も、前記封止バンドによって常に覆われるようになっており、したがって、前記封止バンドに弁を開閉する蝶番動作を行わせて、それにより前記流体流の流れによって前記封止バンドが持ち上がって開き、液体流が停止した後、重力によって弁が閉じるようにする、請求項４に記載のドライトラップ弁。
【請求項６】
前記封止バンドを前記バンドホルダーに連結する固定構造をさらに含む、請求項２に記載のドライトラップ弁。
【請求項７】
前記固定構造の実現を可能にするために、
前記バンドホルダーが、離間した上側スロットおよび離間した下側スロットを含み、
前記固定具が、前記離間した上側および下側スロットとそれぞれ数が等しい、一対の離間した上側突起部および一対の離間した下側突起部を含み、
前記固定構造が、前記固定具の突起部それぞれの、前記バンドホルダーのスロットへのスナップ係合を含む、請求項６に記載のドライトラップ弁。
【請求項８】
前記バンドホルダーが前記窪みの下端を越えて延びる平坦部分を含み、
前記封止バンドが、全体的に前記窪みの上端の上に配置された上側部分、全体的に前記窪みの下端の下に配置された下側部分、および前記封止バンドの上側部分と下側部分との間にある突起翼を含む、請求項２に記載のドライトラップ弁。
【請求項９】
前記封止バンドの下側部分が、基本的に（ａ）前記突起翼の下方で前記封止バンドの下側部分付近、および（ｂ）前記窪みの下端の下にある線に沿って関節動作するように配設された構造を有し、前記窪みの大部分が、前記流体が流れている間も、前記封止バンドによって常に覆われるようになっており、したがって、前記封止バンドに弁を開閉する蝶番動作を行わせて、それにより前記流体流の流れによって前記封止バンドが持ち上がって開き、液体流が停止した後、重力によって弁が閉じるようにする、請求項８に記載のドライトラップ弁。
【請求項１０】
排水の受入れおよび廃棄のために便器内に配置可能な便器および非水洗カートリッジであって、
前記排水を排水口へと輸送するためのドライトラップ弁を含み、前記ドライトラップ弁が、前記排水を受けるための入口、前記排水を前記排水口へと運ぶための内部の通路を有するバンドホルダー、および前記通路を覆う封止バンドを含む便器および非水洗カートリッジ。
【請求項１１】
前記バンドホルダーが、前側面および後側面を有する全体的に平坦な傾斜板を画成する構造を含み、
前記通路が、前記後側面から突出し、前記入口に隣接する上端および前記入口から離間した下端を有する窪みを含み、
前記封止バンドが前記前側面の上に置かれる、請求項１０に記載の便器および非水洗カートリッジ。
【請求項１２】
前記封止バンドが、前記窪みの下端に隣接し、前記通路から前記排水が流れると関節動作し、前記排水を前記排水口へと流し、前記排水が流れていないときは閉じることができ、前記下水管路からのガスが、前記窪みの前記封止バンドによる封止を助けることができるように配設された蝶番部分を含む、請求項１１に記載の便器および非水洗カートリッジ。
【請求項１３】
前記バンドホルダーが前記窪みの下端を越えて延びる平坦部分を有し、
前記封止バンドが、全体的に前記窪みの上端の上に配置された上側部分および全体的に前記窪みの下端の下に配置された下側部分を含む、請求項１２に記載の便器および非水洗カートリッジ。
【請求項１４】
前記封止バンド下側部分が、基本的に（ａ）前記封止バンドの下側部分の下方、および（ｂ）前記窪みの下端の下にある線に沿って関節動作するように配設された構造を有し、前記窪みの大部分が、前記排水が流れている間も、前記封止バンドによって常に覆われるようになっており、したがって、前記封止バンドに弁を開閉する蝶番動作を行わせて、それにより前記排水流の流れによって前記封止バンドが持ち上がって開き、液体流が停止した後、重力によって弁が閉じ、前記下水管路からのガスが、前記封止バンドの前記窪みへの封止を助けることができるようにする、請求項１３に記載の便器および非水洗カートリッジ。
【請求項１５】
前記封止バンドを前記バンドホルダーに連結する固定構造をさらに含む、請求項１０に記載の便器および非水洗カートリッジ。
【請求項１６】
前記固定構造の実現を可能にするために、
前記バンドホルダーが、離間した上側スロットおよび離間した下側スロットを含み、
前記固定具が、前記離間した上側および下側スロットとそれぞれ数が等しい、離間した上側突起部および離間した下側突起部を含み、
前記固定構造が、前記固定具の突起部それぞれの、前記バンドホルダーのスロットへのスナップ係合を含む、請求項１５に記載の便器および非水洗カートリッジ。
【請求項１７】
前記バンドホルダーが前側面および後側面を有する全体的に平坦な傾斜板を含み、
前記通路が、前記後側面から突出し、前記入口に隣接する上端および前記入口から離間した下端を有する窪みを含み、
前記封止バンドが前記前側面の上に置かれる、請求項１０に記載の便器および非水洗カートリッジ。
【請求項１８】
前記バンドホルダーが前記窪みの下端を越えて延びる平坦部分を含み、
前記封止バンドが、全体的に前記窪みの上端の上に配置された上側部分、全体的に前記窪みの下端の下に配置された下側部分、および前記封止バンドの上側部分と下側部分との間にある突起翼を含む、請求項１７に記載の便器および非水洗カートリッジ。
【請求項１９】
前記封止バンド下側部分が、基本的に（ａ）前記突起翼の下方で前記封止バンドの下側部分付近、および（ｂ）前記窪みの下端の下にある線に沿って関節動作するように配設された構造を有し、前記窪みの大部分が、前記排水が流れている間も、前記封止バンドによって常に覆われるようになっており、したがって、前記封止バンドに弁を開閉する蝶番動作を行わせて、それにより前記排水流の流れによって前記封止バンドが持ち上がって開き、液体流が停止した後、重力によって弁が閉じる、請求項１８に記載の便器および非水洗カートリッジ。
【請求項２０】
流体の輸送のための流れガイドであって、
前記流体が流れることができるようにするための通路を有する剛性部分と、
前記剛性部分に連結され、前記剛性部分の通路の重力方向上側に配置され、前記流体の力が存在するとき、前記流体の力に対して開き、前記流体の力が存在しないとき、重力によって前記剛性部分の通路が閉じるようになっている構造を有する可動部分とを含む流れガイド。
【請求項２１】
前記剛性部分の通路が前記流体を受けるための出口に連結され、前記出口がガスを含み、それにより、前記流体の力が存在しないとき、前記ガスが前記可動部分に圧力を加えて閉鎖を強化する、請求項２０に記載の流れガイド。
【請求項２２】
流体の輸送のための流れガイドであって、
前記流体が流れることができるようにするための通路を含み、前記流体を受けるための出口に連結され、前記出口がガスを含む剛性部分と、
前記剛性部分に連結され、前記流体の力が存在するとき、前記流体の力に対して開き、前記流体の力が存在しないとき、前記ガスが前記可動部分に対して圧力を加えて、前記可動部分が前記剛性部分の通路を閉鎖するようにする構造を有する可動部分とを含む流れガイド。
【請求項２３】
前記可動部分が、前記剛性部分の通路の重力方向上側に配置され、前記流体の力が存在しないとき、重力によって閉鎖が強化される、請求項２２に記載の流れガイド。
【発明の詳細な説明】
【技術分野】
【０００１】
関連出願の相互参照
本出願は、２０１０年１月２０日に出願された仮出願第６１／３３６，３００号の優先権を主張する。
【０００２】
連邦政府の資金提供に関する記載
該当せず
【０００３】
マイクロフィッシュ・アペンディクスの参照
該当せず
【０００４】
本発明は、非水洗便器で使用される防臭機構を有するカートリッジなどのフロートラップに関し、より詳細には、水または封止剤なしで使用することができ、それによりフロートラップの寿命および使用性が向上し、トラップを流すための水を必要としない、ドライトラップ弁を使用する、改良されたトラップに関する。
【背景技術】
【０００５】
あらゆる種類の配管トラップでは、下水ガスおよび他の不快な臭気が排水管路からトラップを通って室内へと逆流することを防ぎながら、排水をトラップへと、およびトラップを通って排水管路へと、一方向に流す必要がある。従来の便器では、これは、毎回使用後に新しい水で流され、新しい水によって臭気を密閉する湾曲部を有する「Ｓ」字型トラップ（または同様のデバイス）によって達成される。
【０００６】
非水洗トラップは、水が不足がちであり、または高価である場合、もしくは節水が望ましいときに有利である。従来技術の装置には、水より軽い封止剤が防臭板を形成し、封止剤がトラップ内に維持される、米国特許第６，０５３，１９７号に記載のものがある。
【０００７】
他の従来技術のトラップでは、英国出願第２，２９６，３０９号に記載されているような、防臭板を形成する一方向フラッパー型弁が使用される。そのようなフラッパー弁は、形状記憶を有する弾性材料の向かい合う部品を、先端が通常は閉位置にくるように使用する。そのような弁は一般に、円形の入口領域が、出口領域を形成する２つの全体的に平坦な当接側面へ向かって平坦になるように構成され、２つの側面は形状記憶によって互いに押し付けられ、管路から逆流するガスおよび臭気を密閉する。尿の力が弾性性質を上回ることによって出口側の２つの平坦部分が開き、排水がトラップへと流れることができる。平坦な出口の形状と、使用される材料の形状記憶性質の組み合わせによって、２つの側面が互いに対して押し付けられ、悪臭を放つガスが室内へと漏れることを防ぐ。
【先行技術文献】
【特許文献】
【０００８】
【特許文献１】米国特許第６，０５３，１９７号
【特許文献２】英国特許出願第２，２９６，３０９号
【特許文献３】特許第６，９５９，７２３号
【特許文献４】特許第７，５７５，０２２号
【発明の概要】
【発明が解決しようとする課題】
【０００９】
しかし、そのような従来技術のフラッパー型弁は、繰り返し使用されると、弾性材の形状記憶が低下し、開いたままになり、悪臭を放つガスがトラップを通って室内へと逆流することがある。また、従来技術のフラッパーは乾燥して、開いたままになることがある。
【課題を解決するための手段】
【００１０】
これらおよび他の問題は、排水の受入れおよび廃棄のために、例えば非水洗便器および他の排水設備で使用可能なドライトラップ弁を使用して、尿または他の排水などの流体を下水管路へと輸送する本発明によって、首尾よく対処し、解決することができる。ドライトラップ弁は、排水を受けるための入口、排水を廃棄するための排水口、排水を入口から排水口へと運ぶための通路（例えば、窪み、陥凹またはバイパス）、および通路を封止的に覆うための要素（例えば、封止バンド）を有するホルダー（例えば、バンドホルダー）を含む。封止バンドは、窪みの下端に隣接し、窪みから排水が流れると関節動作し、排水を排水口へと流し、排水が流れていないときは閉じることができるように配設された蝶番部分を含む。下水管路からのガスも、排水の流れが存在しないとき、窪みをさらに封止するように、封止バンドを押圧する。
【００１１】
本発明にともなう利点は、弾性材料の形状記憶が不可欠ではなく、むしろ、重力およびガスの力によって、さもなければ弁を通って逆流する下水ガスに対する通路の閉鎖を維持することである。
【００１２】
本発明の他の目的および利点、ならびにより完全な理解は、例示的な実施形態の以下の説明および添付の図面から明らかになるであろう。
【図面の簡単な説明】
【００１３】
【図１】非水洗便器で使用されるように設計されたトラップまたはカートリッジの斜視図である。
【図２】図１に示すトラップまたはカートリッジの断面図であり、便器の配置をさらに示す図である。
【図３】図２に示すものに対して９０度の位置から見た、図１に示すトラップまたはカートリッジの断面図であり、同じく便器の配置をさらに示す図である。
【図４】内部および底部部品を想像線で示す、図１〜３に示すトラップまたはカートリッジの上面図である。
【図５】図１〜４に示すトラップまたはカートリッジ、ならびにドライトラップ弁を含む内部部品の斜視分解図である。
【図６】図１〜５に示すトラップまたはカートリッジの底部部分の斜視図である。
【図７】図１〜５に示すトラップまたはカートリッジの基部または基部部分の斜視図である。
【図８】ドライ弁の異なる角度から見た斜視図である。
【図９】ドライ弁の異なる角度から見た斜視図である。
【図１０】図８および９に示すドライ弁のバンドホルダーの異なる角度から見た斜視図である。
【図１１】図８および９に示すドライ弁のバンドホルダーの異なる角度から見た斜視図である。
【図１２】図８および９に示すドライ弁のバンドホルダー要素の側面断面図である。
【図１３】図８および９に示すドライ弁のバンドホルダー要素の側面断面図である。
【図１４】図１０〜１３のバンドホルダーとともに、固定構造の構成部品を形成する、ドライ弁の固定要素を異なる角度から見た図である。
【図１５】図１０〜１３のバンドホルダーとともに、固定構造の構成部品を形成する、ドライ弁の固定要素を異なる角度から見た図である。
【図１６】側面要素を折り返す前の封止バンドを示す、ドライ弁で使用される封止バンドの図である。
【図１７】側面要素が折り返され、固定または他の方法でバンドホルダーに連結される、ドライ弁で使用される封止バンドの図である。
【図１８】側面要素が折り返され、固定または他の方法でバンドホルダーに連結される、ドライ弁で使用される封止バンドの図である。
【図１９】便器へとねじ込み、または便器から解除するために、キーによって係合されるトラップまたはカートリッジの上側または上部部分の斜視図である。
【図２０】便器へとねじ込み、または便器から解除するために、キーによって係合されるトラップまたはカートリッジの上側または上部部分の側面図である。
【発明を実施するための形態】
【００１４】
本発明は、シャワー、浴室、シンク、床および他の排水設備などにある排水トラップの防臭に使用される排水設備に有用であるが、その使用を詳細に説明するために、以下では非水洗便器での好ましい使用について説明する。したがって、本発明は、特にそれに限定されるものではない。
【００１５】
図１〜７を参照すると、非水洗便器のためのトラップまたはカートリッジ２０が、記載された内容全体が本明細書に援用される特許第６，９５９，７２３号に例示されたものなど（特に、図１５）、一部分が図示され、記号２１として示される便器（図２および３参照）内に置かれて示されている。トラップ２０は、入口管またはドライ弁入口３２を有するドライ弁２４を支持するように配設された上部部分２２および基部部分２６を含む。上部部分２２はカバー２８を含み、カバー２８は尿または他の排水を受けるための入口開口３０を含む。カバー２８の環状スロット内のＯリング２３は、便器２１との封止をもたらす。図３に示すように、下向きに延びるリップまたは縁３１がカバー２８の下側および開口３０の周りに形成されており、それによりドライ弁２４を入口管３２に取り付けることができる。排水はカバー２８から開口３０へと方向付けられ、そこでドライ弁２４の入口管３２へと流入する。
【００１６】
図２、３、５〜７および１９に示すように、仕切り板７０が、例えば、記載された内容全体が本明細書に援用される特許第７，５７５，０２２号に図示および記載されているように、カートリッジを２つの室、流体入口室および流体出口室へと隔てている。流体出口室は排水口４０で終端し（図２、３〜５および７参照）、そこから下水管路（囲み４１の記号で示す）または同様の出口へと通じる。仕切り板７０は櫛歯７２で終端し、上部部分が基部または底部部分２６と連結されるとき、ガイドスロット７４内へと嵌まる。基部部分はさらに、堆積物等を濾し、または他の方法で収集するように、櫛歯７２と協働する歯７６を備えている。
【００１７】
図８〜１５も参照すると、ドライ弁２４は、前側面３４Ａおよび後側面３４Ｂを有する全体的に平坦な傾斜板として形成されたバンドホルダーまたは剛性部分３４（図１０〜１３に単独で示す）、固定具３８（図１４および１５に単独で示す）および封止バンドまたは可動部分５０（図１６〜１８に単独で示す）を含む。入口管３２は、バンドホルダー３４の上側部分にあり、カバー２８の開口３０から排水を受けるように適合されている。窪み、陥凹またはバイパス３６（図３、５、１０および１１参照）がバンドホルダー３４に形成され、その後側面３４Ｂから延出し、または突出している。窪み３６は下端および上端３６Ａおよび３６Ｂを含み、下端３６Ａは入口３２から離間し、上端３６Ｂは入口３２に隣接して配置されている。図３、５および１０に最も良く示すように、排水のための流体通路は、入口管３２から窪み３６へ、バンドホルダー３４の平坦部分３９に沿って、トラップ２０の基部２６へと流れ、排水口４０を通ってトラップまたはカートリッジへと流出し（図２、３〜５および７参照）、そこから下水管路４１または同様の出口へと流れる。
【００１８】
バンドホルダー３４および固定具３８は、プラスチック、金属、焼結セラミックなど任意の数の材料、または所望の形状へと成形することができ、適度に頑丈な任意の材料から形成することができる。この用途にはアクロニトリル・ブタジエン・スチレン（ＡＢＳ）またはポリプロピレン（ＰＰ）が適していることが明らかになっている。
【００１９】
封止バンド５０は、ゴム、シリコンゴムまたは任意の熱可塑性エラストマーなどの任意の可撓性材料から形成することができる。厚さが０．２ｍｍ〜０．４ｍｍの合成ゴムシートが適していることが明らかになっている。
【００２０】
バンドホルダー３４はトラップ２０にどのような方法で取り付けることもできるが、接着、圧入、スナップ嵌めおよび超音波溶接のすべてで良好な結果が得られることが明らかになっている。取付けは、好ましくは平坦部分３９が垂直から約１０〜５０度の角度の下向きの傾斜面を形成するようになっており、好ましい実施形態では、約３０度である（図１１および１２に全体的に示す）。しかし、少なくとも現在作製されているように、ドライ弁２４は、水平から垂直付近まで、すなわち、０度から９０度未満までの角度で機能することが可能であることを理解されたい。
【００２１】
図９〜１３を参照すると、バンドホルダー３４は２つの上側スロット、すなわち、右上スロット４２Ａおよび左上スロット４２Ｂ、ならびに２つの下側スロット、右下スロット４４Ａおよび左下スロット４４Ｂを有する。図１４および１５にさらに示すように、固定具３８は対応する突起部、すなわち、右上突起部４６Ａ、左上突起部４６Ｂ、左下突起部４８Ｂおよび右下突起部４８Ａを有する。特に図８および９に示すように、固定具３８の各突起部はバンドホルダー３４のスロットに、すなわち、突起部４６Ａがスロット４２Ａへと、突起部４６Ｂがスロット４２Ｂへと、突起部４８Ａがスロット４４Ａへと、突起部４６Ｂがスロット４４Ｂへと、嵌合し、スナップ嵌めされて、固定構造を形成する。
【００２２】
図１６〜１８を参照すると、封止バンド５０は、上側部分５６、下側部分５８、右突起翼５４Ａおよび左突起翼５４Ｂを有する。上側部分５６は、全体的に窪み上端３６Ｂの上に配置され、下側部分５８は全体的に窪み下端３６Ａの下に配置される。以下でより詳しく説明するように、突起翼５４Ａおよび５４Ｂは、封止バンドがバンドホルダー３４に取り付けられるとき封止バンドの突起バンドがどのように曲げられ、または折り返されるかを示す図１６に示すように、全体的に折りたたみ点線５５に沿って、図１７および１８に示すように折り返される。
【００２３】
図８および９を参照すると、封止バンド５０はバンドホルダー３４の前側面３４Ａの上に置かれ、入口管３２を完全に塞ぐようになっており、すなわち、封止バンド上側部分５６が少なくとも上側スロット４２Ａおよび４２Ｂと同じ高さから延び、下側部分５８が少なくとも窪み３６を覆っている。突起翼５４Ａおよび５４Ｂはバンドホルダー３４の幅を越えて延び、バンドホルダー３４の周りで折り返され、封止バンド５０を定位置に保持するように、好ましくは付着機構３５によって、もしくは封止バンドとバンドホルダーとの完全な取付けを確実にする他の機械的装置または接着剤によって、後側面３４Ｂに取り付けられる。本明細書で示すように、付着機構３５は、ホルダー後側面３４Ｂから封止バンド５０の突起翼５４Ａおよび５４Ｂを穿刺するように外向きに延びる矢尻状の穿孔部を含む。特にオーバーモールド技術（例えば、多成形技術）が利用されるとき、当技術分野で知られている他の固定／定着技術を使用することもできる。
【００２４】
図８および９に示すように、封止バンド５０の下側部分５８は、尿の流れに反応して、線Ａ−Ａ’に沿って上向きに裏返り、または枢動することができ、またはそのように配設される。線Ａ−Ａ’は、突起翼５４Ａおよび５４Ｂのすぐ下で封止バンド５０の下端近くにあり、排水が流れるときも、窪み３６の大部分が封止バンド５０によって常に覆われるようになっており、線Ａ−Ａ’からバンド５０の下端までの上向きに裏返る封止バンドの大部分は窪み３６の下端の下にあり、封止バンド５０を蝶番として使用する。この構成によって、弁２４が開閉することができる関節動作または蝶番動作がもたらされる。排水の流れによって封止バンドが持ち上がって開き、液体が流れた後は、重力によって開口が再び閉じる。
【００２５】
封止バンド５０は、窪み３６を覆うようにバンドホルダー３４に連結されている。本発明の好ましい実施形態では、封止バンドは、翼部分５４Ａおよび５４Ｂの両方をバンドホルダーの側面３４Ａおよび３４Ｂ付近に巻き付けることによって、矢尻状の穿孔部を使用して翼部分５４Ａおよび５４Ｂを穿刺することによって、および固定具３８を封止バンド５０の上に置いて固定具３８をバンドホルダー３４に固定することによって、定位置に保持される。摩擦係合を使用することもできるが、好ましい固定では、右上突起部４６Ａを右上スロット４２Ａへと、左上突起部４６Ｂを左上スロット４２Ｂへと、右下突起部４８Ａを右下スロット４４Ａへと、左下突起部４８Ｂを左下スロット４４Ｂへと圧入することを利用する。
【００２６】
固定具３８はまた、一対の湾曲フランジ、右フランジ５２Ａおよび左フランジ５２Ｂを有する。フランジは、封止バンド５０をバンドホルダー３４に押し付け、または圧迫するために、窪み３６を覆わないように十分に離間している。
【００２７】
図８および９に示すように（図１０〜１３も参照）、好ましい実施形態では、封止バンドの突起翼５４Ａおよび５４Ｂの下側縁部は窪み３６の下端３６Ａの手前で終端し、封止バンド５０の上側部分５６は窪み３６の上端３６Ｂを越えて延び、固定具３８と組み合わせて固定具３８によって圧迫される封止バンド５０によって完全に覆われて、封止を形成する。
【００２８】
上記の部品の寸法は、一般に、便器トラップのサイズに基づいている。窪み３６のサイズおよび形状（湾曲など）は、想定される液体の流れに応じて調整することができる。
【００２９】
動作に際しては、トラップ２０を使用していないときは封止バンド５０が定位置に保持され、大部分は重力によって、平坦部分３９の角度により窪み３６および入口管３２を閉鎖する。封止バンド５０の弾性性質の主な目的は、これを蝶番として使用することである。封止バンド５０は平坦であり、窪み３６および入口管３２を封止しているので、下水管路４１からの下水ガスおよび不快な臭気が室内に入ることを防ぐ。下水管路４１からの下水ガスの圧力によって、封止バンド５０は窪み３６および入口管３２に対してより確実に押し付けられることができることが明らかになっている。
【００３０】
便器が使用されるとき、排水がトラップの入口開口３０に向かい、そこを通ってドライ弁２４の入口管３２へと流れる。入口管３２および窪み３６を通る排水の力によって、封止バンド５０を定位置に保持している重力の力を超える十分な圧力がかかり、封止バンドが上向きに押し付けられ、排水が平坦部分３９に沿って排水口４０へと流れることができるようになる。排水の流れが止まると、封止バンド５０は再び重力によって、窪み３６および入口管３２に対して下向きに押し付けられ、ガスおよび臭気を再び密閉する。したがって、排水または他の流体は、開口３０から排水口４０を通って下水管路４１へと輸送される。
【００３１】
図５，１９および２０に示すように、カートリッジ２０は、キー６２を使用しての便器へのねじ込みまたは解除などによって、挿入し、または取り外すことができる。キー６２は、一方の端部に屈曲した先端６４および停止傾斜部６６および他方の端部にハンドル６８を含む。屈曲した先端６４は、上部部分２２の入口開口３０内に嵌合し、その中で傾斜するように配設される。停止傾斜部６６はカバー２８に接触して、先端６４を開口３０内へ取り付ける助けとなる。
【００３２】
以上、本発明を非水洗便器のためのトラップで使用されるものとして説明したが、上述のように、本発明は、シャワー、浴室、シンク、床および他の排水設備など、防臭排水口トラップを必要とするどのような状況で使用することもできる。したがって、その動作は、非水洗便器を参照して説明したが、これは例示を簡単にするためのものに過ぎず、多くの他のそのような用途も可能であることに留意されたい。
【符号の説明】
【００３３】
２０：トラップまたはカートリッジ
２１：便器
２２：上部部分
２３：Ｏリング
２４：ドライ弁
２６：基部部分
２８：カバー
３０：開口
３１：リップまたは縁
３２：入口管またはドライ弁入口
３４：バンドホルダーまたは剛性部分
３４Ａ：前側面
３４Ｂ：後側面
３５：付着機構
３６：窪み、陥凹またはバイパス
３６Ａ：下端
３６Ｂ：上端
３８：固定具
３９：平坦部分
４０：排水口
４１：下水管路
４２Ａ：右上スロット
４２Ｂ：左上スロット
４４Ａ：右下スロット
４４Ｂ：左下スロット
４６Ａ：右上突起部
４６Ｂ：左上突起部
４８Ａ：右下突起部
４８Ｂ：左下突起部
５０：封止バンドまたは可動部分
５２Ａ：右フランジ
５２Ｂ：左フランジ
５４Ａ：右突起翼
５４Ｂ：左突起翼
５５：折りたたみ線
５６：上側部分
５８：下側部分
６２：キー
６４：屈曲した先端
６６：停止傾斜部
６８：ハンドル
７０：仕切り板
７２：櫛歯
７４：ガイドスロット
７６：歯
【図１】
2013517403.tif 000003
【図２】
2013517403.tif 000004
【図３】
2013517403.tif 000005
【図４】
2013517403.tif 000006
【図５】
2013517403.tif 000007
【図６】
2013517403.tif 000008
【図７】
2013517403.tif 000009
【図８】
2013517403.tif 000010
【図９】
2013517403.tif 000011
【図１０】
2013517403.tif 000012
【図１１】
2013517403.tif 000013
【図１２】
2013517403.tif 000014
【図１３】
2013517403.tif 000015
【図１４】
2013517403.tif 000016
【図１５】
2013517403.tif 000017
【図１６】
2013517403.tif 000018
【図１７】
2013517403.tif 000019
【図１８】
2013517403.tif 000020
【図１９】
2013517403.tif 000021
【図２０】
2013517403.tif 000022
【国際調査報告】
2013517403.tif 000023
2013517403.tif 000024
2013517403.tif 000025
2013517403.tif 000026
2013517403.tif 000027